(57)【要約】      （修正有）【課題】配電用変電所の健全所内変圧器の２次３次電圧を基準電圧に対する工事対象所内変圧器の２次３次電圧を容易に把握できる角変位定規を提供することである。【解決手段】１辺が２００Ｖを表す正三角形の各頂点に３相の各相を識別するための識別表記が記載され３相の各相のうちの基準相の１相にＹ結線の表記が記載されるとともに正三角形の各辺の２等分線を結んで描かれた１辺が１００Ｖを表す内接正三角形の各頂点に３相の各相を識別するための識別表記が記載された半透明の第１基板１１と、第１基板１１のＹ結線の表記をΔ結線の表記とした第２基板１５とを、第１基板１１の正三角形１２ａの基準相に対面する辺の二等分点と第２基板１５の正三角形１２ｂの基準相に対面する辺の二等分点とを重ね合わせた点を中心として取付具１６により回転自在に取り付ける。【選択図】図１
0003209768.tif 000002
【実用新案登録請求の範囲】
【請求項１】
１辺が２００Ｖを表す正三角形の各頂点に３相の各相を識別するための識別表記が記載され前記３相の各相のうちの基準相の１相にＹ結線の表記が記載されるとともに前記正三角形の各辺の２等分線を結んで描かれた１辺が１００Ｖを表す内接正三角形の各頂点に３相の各相を識別するための識別表記が記載された半透明の第１基板と、
１辺が２００Ｖを表す正三角形の各頂点に３相の各相を識別するための識別表記が記載され前記３相の各相のうちの基準相の１相にΔ結線の表記が記載されるとともに前記正三角形の各辺の２等分線を結んで描かれた１辺が１００Ｖを表す内接正三角形の各頂点に３相の各相を識別するための識別表記が記載された半透明の第２基板と、
前記第１基板の正三角形の基準相に対面する辺の二等分点と前記第２基板の正三角形の基準相に対面する辺の二等分点とを重ね合わせた点を中心として前記第１基板と前記第２基板とが回転自在に動かせるように前記第１基板に前記第２基板を取り付けるための取付具とを備えたことを特徴とする角変位定規。
【考案の詳細な説明】
【技術分野】
【０００１】
本考案は、配電用変電所の健全所内変圧器と工事対象所内変圧器の巻き線の相順を確認するための角変位定規に関する。
【背景技術】
【０００２】
配電用変電所の所内変圧器取替工事等の終了時においては、健全所内変圧器と工事対象所内変圧器の巻き線が正しい相順で配線されているか否かを確認する必要がある。そこで、当該所内変圧器の２次３次電圧と別の健全所内変圧器の２次３次電圧とを計器用変成器ＶＴで検出し、これらの電圧を比較して、電圧値が所定の電圧値である場合には、健全所内変圧器と工事対象所内変圧器の巻き線が正しい相順で配線されていると判断していた。
【０００３】
所内変圧器の結線が同一であっても，主要変圧器の結線がＹと△で異なれば所内変圧器の２次３次電圧は１／６π（３０度）の角変位（位相変位）が発生する。このことから、当該所内変圧器の２次３次電圧と別の健全所内変圧器の２次３次電圧との位相がずれるため、測定電圧もその影響を受けるので測定電圧に基づき、即座に健全所内変圧器と工事対象所内変圧器の巻き線が正しい相順で配線されている場合の測定電圧であることを判断することが難しかった。
【０００４】
ここで、未熟練者でも短時間で正確に回転体の振動振幅値とアンバランス位相を求め得るようにした回転体の振動値読み取り定規がある（例えば、特許文献１参照）。この振動値読み取り定規は、透明薄板上に中心点を共通とした複数の円弧を各円弧の原点が縦一線上に配設される如く描き、各円弧の原点からは、各原点における接線をケガいてなり、各円弧の原点の一方の側に各円弧の大きさを示す数字を刻設している。振動値読み取り定規を振動モード円が描かれた紙面上に重ね合わせて、振動値読み取り定規に描かれている複数の円弧のなかで、読み取りたいｎ次危険速度のモード円の円弧に合致するものを見付けだし、合致する円弧が決まると即その大きさがわかり、同時に、合致する円弧の接線の方向からアンバランス方向がわかるというものである。
【先行技術文献】
【特許文献】
【０００５】
【特許文献１】特開平６−７４７０２号公報
【考案の概要】
【考案が解決しようとする課題】
【０００６】
しかし、特許文献１のものは回転体の振動振幅値とアンバランス位相を求め得るものであり、各円弧の大きさを示す数字を刻設し、振動値読み取り定規を振動モード円が描かれた紙面上に重ね合わせて、振動値読み取り定規に描かれている複数の円弧のなかで、読み取りたいｎ次危険速度のモード円の円弧に合致するものを見付けだすものであるが、所内変圧器の２次３次電圧と別の健全所内変圧器の２次３次電圧とを測定対象とし、これらの電圧を比較して、電圧値が所定の電圧値である場合には、健全所内変圧器と工事対象所内変圧器の巻き線が正しい相順で配線されていると判断するものではない。
【０００７】
配電用変電所では、所内変圧器の結線が同一であっても，主要変圧器の結線がＹと△で異なれば所内変圧器の２次３次電圧は１／６π（３０度）の角変位（位相変位）が発生し、当該所内変圧器の２次３次電圧と別の健全所内変圧器の２次３次電圧との位相がずれるため、測定電圧もその影響を受けるので測定電圧に基づき、即座に健全所内変圧器と工事対象所内変圧器の巻き線が正しい相順で配線されている場合の測定電圧であることを判断することが難しかった。
【０００８】
本考案の目的は、配電用変電所の健全所内変圧器の２次３次電圧を基準電圧とし工事対象所内変圧器の２次３次電圧を容易に把握できる角変位定規を提供することである。
【課題を解決するための手段】
【０００９】
本考案に係る角変位定規は、１辺が２００Ｖを表す正三角形の各頂点に３相の各相を識別するための識別表記が記載され前記３相の各相のうちの基準相の１相にＹ結線の表記が記載されるとともに前記正三角形の各辺の２等分線を結んで描かれた１辺が１００Ｖを表す内接正三角形の各頂点に３相の各相を識別するための識別表記が記載された半透明の第１基板と、１辺が２００Ｖを表す正三角形の各頂点に３相の各相を識別するための識別表記が記載され前記３相の各相のうちの基準相の１相にΔ結線の表記が記載されるとともに前記正三角形の各辺の２等分線を結んで描かれた１辺が１００Ｖを表す内接正三角形の各頂点に３相の各相を識別するための識別表記が記載された半透明の第２基板と、前記第１基板の正三角形の基準相に対面する辺の二等分点と前記第２基板の正三角形の基準相に対面する辺の二等分点とを重ね合わせた点を中心として前記第１基板と前記第２基板とが回転自在に動かせるように前記第１基板に前記第２基板を取り付けるための取付具とを備えたことを特徴とする。
【考案の効果】
【００１０】
本考案によれば、第１基板または第２基板の２００Ｖまたは１００Ｖのいずれかの１相を基準電圧に選び、基準電圧として選ばなかった基板を１／６π（３０度）回転させて、基準電圧として選んだ基板の正三角形または内接正三角形の頂点から、基準電圧として選ばなかった基板の正三角形または内接正三角形の頂点までの距離が各相の基準電圧に対するあるべき電圧値を示しているので、各相の基準電圧に対するあるべき電圧値を容易に把握できる。
【図面の簡単な説明】
【００１１】
【図１】本考案の実施形態の角変位定規の一例を示す構成図。
【図２】健全所内変圧器の３次電圧がＹ結線であり黒相（１００Ｖ）を基準電圧とした場合（表１の第１行の場合）に、本考案の角変位定規でΔ結線の工事対象所内変圧器の各相のあるべき電圧値を読み取る場合の説明図。
【図３】健全所内変圧器の２次電圧がＹ結線であり黒相（２００Ｖ）を基準電圧とした場合（表１の第４行の場合）に、本考案の角変位定規でΔ結線の工事対象所内変圧器の各相のあるべき電圧値を読み取る場合の説明図。
【図４】健全所内変圧器の３次電圧がΔ結線であり黒相（１００Ｖ）を基準電圧とした場合（表１の第１列の場合）に、本考案の角変位定規でＹ結線の工事対象所内変圧器の各相のあるべき電圧値を読み取る場合の説明図。
【図５】健全所内変圧器の２次電圧がΔ結線であり黒相（２００Ｖ）を基準電圧とした場合（表１の第４列の場合）に、本考案の角変位定規でＹ結線の工事対象所内変圧器の各相のあるべき電圧値を読み取る場合の説明図。
【考案を実施するための形態】
【００１２】
以下、本考案の実施形態を説明する。図１は本考案の実施形態の角変位定規の一例を示す構成図であり、図１（ａ）は本考案の実施形態の角変位定規の第１基板の平面図、図１（ｂ）は本考案の実施形態の角変位定規の第２基板の平面図、図１（ｃ）は本考案の実施形態の角変位定規の平面図である。
【００１３】
図１（ａ）に示すように、第１基板１１は正三角形１２ａで形成され、各頂点に３相の各相を識別するための識別表記が記載されている。識別表記は、例えば、黒、赤、白と表記され、３相の各相（黒相、赤相、白相）を識別するものであり、３相のうちの基準相の１相（例えば黒相）にはＹ結線の表記「Ｙ」が記載されている。また、正三角形１２ａの各辺の長さは２００Ｖを表している。これは、所内変圧器の２次側電圧である。
【００１４】
また、正三角形１２ａの各辺の２等分線を結んで内接正三角形１３ａが描かれている。内接正三角形１３ａの各頂点に３相の各相を識別するための識別表記が記載されている。識別表記は、例えば、ク、ア、シと表記され、３相の各相（黒相、赤相、白相）を識別するものである。内接正三角形１３ａの各辺の長さは１００Ｖを表している。これは、所内変圧器の３次側電圧である。
【００１５】
第１基板１１の正三角形１２ａの基準相（黒相）に対面する辺の二等分点には、貫通孔１４ａが設けられている。貫通孔１４ａは、第１基板１１と後述の図１（ｂ）に示す第２基板とを回転自在に取り付ける取付具を挿入するための孔である。
【００１６】
第２基板１５は、図１（ｂ）に示すように、第１基板１１と同様に形成され、図１（ａ）に示した第１基板１１と異なる点は、第１基板１１のＹ結線の表記「Ｙ」に代えてΔ結線の表記「Δ」が記載されていること、第１基板１１の正三角形１２ａ、内接正三角形１３ａ、貫通孔１４ａに代えて、第２基板１５の正三角形１２ｂ、内接正三角形１３ｂ、貫通孔１４ｂとしていることである。
【００１７】
図１（ｃ）は、第１基板１１の貫通孔１４ａと第２基板１５の貫通孔１４ｂとを重ね合わせ、貫通孔１４ａ、１４ｂに取付具１６を取り付けて、第１基板１１と第２基板１５とを回転自在に取り付け、本考案の実施形態の角変位定規を形成したものである。これにより、第１基板１１の正三角形１２ａの基準相（黒相）に対面する辺の二等分点と、第２基板１５の正三角形１２ｂの基準相（黒相）に対面する辺の二等分点とを重ね合わせた点（取付具１６）を中心として、第１基板１１と第２基板１５とは回転自在に回転する。図１（ｃ）では第１基板１１に対し第２基板１５を１／６π（３０度）進み方向に回転させた場合を示している。
【００１８】
表１は、健全所内変圧器と工事対象所内変圧器との結線がＹ△または△Ｙで結線され健全所内変圧器と工事対象所内変圧器の巻き線が正しい相順で配線されている場合の健全所内変圧器の２次３次電圧と工事対象所内変圧器の２次３次電圧との電圧値を示す表である。
【００１９】
【表１】
0003209768.tif 000003
@0001
表１において、行方向には健全所内変圧器がＹ結線である場合の基準相を示しており、列方向には健全所内変圧器がΔ結線である場合の基準相を示している。
【００２０】
例えば、健全所内変圧器の３次電圧がＹ結線であり黒相（１００Ｖ）を基準電圧とした場合には、表１の第１行「１００Ｖ黒」の各列がΔ結線の工事対象所内変圧器の各相のあるべき電圧値を示している。赤相（１００Ｖ）、白相（１００Ｖ）、黒相（２００Ｖ）、赤相（２００Ｖ）、白相（２００Ｖ）を基準電圧とした場合も同様である。
【００２１】
一方、列方向についても、行方向と同様に、健全所内変圧器がΔ結線である場合の基準相を示しており、例えば、健全所内変圧器の３次電圧がΔ結線であり黒相（１００Ｖ）を基準電圧とした場合には、表１の第１列「１００Ｖ黒」の各行がΔ結線の工事対象所内変圧器の各相のあるべき電圧値を示している。赤相（１００Ｖ）、白相（１００Ｖ）、黒相（２００Ｖ）、赤相（２００Ｖ）、白相（２００Ｖ）を基準電圧とした場合も同様である。
【００２２】
いま、表１の第１行の健全所内変圧器の３次電圧がＹ結線であり黒相（１００Ｖ）を基準電圧とした場合には、工事対象所内変圧器がΔ結線であり３次電圧（１００Ｖ）である場合には、基準となる健全所内変圧器の黒相（１００Ｖ）と工事対象所内変圧器の黒相（１００Ｖ）とのあるべき電圧値は５２Ｖ、健全所内変圧器の黒相（１００Ｖ）と工事対象所内変圧器の赤相（１００Ｖ）とのあるべき電圧値は１００Ｖ、健全所内変圧器の黒相（１００Ｖ）と工事対象所内変圧器の白相（１００Ｖ）とのあるべき電圧値は１４１Ｖであることを示している。
【００２３】
また、工事対象所内変圧器がΔ結線であり２次電圧（２００Ｖ）である場合には、基準となる健全所内変圧器の黒相（１００Ｖ）と工事対象所内変圧器の黒相（２００Ｖ）とのあるべき電圧値は１５０Ｖ、健全所内変圧器の黒相（１００Ｖ）と工事対象所内変圧器の赤相（２００Ｖ）とのあるべき電圧値は５２Ｖ、健全所内変圧器の黒相（１００Ｖ）と工事対象所内変圧器の白相（２００Ｖ）とのあるべき電圧値は１９２Ｖであることを示している。
【００２４】
以下、同様に、表１の第２行は健全所内変圧器の３次電圧がＹ結線であり赤相（１００Ｖ）を基準電圧とした場合、表１の第３行は健全所内変圧器の３次電圧がＹ結線であり白相（１００Ｖ）を基準電圧とした場合、表１の第４行は健全所内変圧器の２次電圧がＹ結線であり黒相（２００Ｖ）を基準電圧とした場合、表１の第５行は健全所内変圧器の２次電圧がＹ結線であり赤相（２００Ｖ）を基準電圧とした場合、表１の第６行は健全所内変圧器の２次電圧がＹ結線であり白相（２００Ｖ）を基準電圧とした場合を示している。
【００２５】
一方、健全所内変圧器がΔ結線である場合は、列方向を基準相とし行方向を工事対象変圧器として、健全所内変圧器の各相と工事対象所内変圧器の各相のとのあるべき電圧値を示している。
【００２６】
図２は、健全所内変圧器の３次電圧がＹ結線であり黒相（１００Ｖ）を基準電圧とした場合（表１の第１行の場合）に、本考案の角変位定規でΔ結線の工事対象所内変圧器の各相のあるべき電圧値を読み取る場合の説明図である。
【００２７】
まず、基準電圧は、健全所内変圧器のＹ結線の３次電圧の黒相（１００Ｖ）であるので、Ｙ結線と表記された第１基板１１を基準として、Δ結線と表記された第２基板１５を左方向に１／６π（３０度）回転させる。ＹΔ結線では２次３次側の位相が１／６π（３０度）進むからである。
【００２８】
そして、工事対象所内変圧器がΔ結線であり３次電圧（１００Ｖ）である場合には、第１基板１１の内接正三角形１３ａの頂点の黒相（ク）を基準点Ａ１として、第２基板１５の内接正三角形１３ｂの各頂点（黒相（ク）、赤相（ア）、白相（シ）までの距離を読み取る。この各距離が、工事対象所内変圧器がΔ結線であり３次電圧（１００Ｖ）である場合の各相のあるべき電圧値を示している。
【００２９】
次に、工事対象所内変圧器がΔ結線であり２次電圧（２００Ｖ）である場合には、第１基板１１の内接正三角形１２ａの頂点の黒相（ク）を基準点Ａ１として、第２基板１５の正三角形１２ｂの各頂点（黒相（黒）、赤相（赤）、白相（白）までの距離を読み取る。この各距離が、工事対象所内変圧器がΔ結線であり２次電圧（２００Ｖ）である場合の各相のあるべき電圧値を示している。
【００３０】
図３は、健全所内変圧器の２次電圧がＹ結線であり黒相（２００Ｖ）を基準電圧とした場合（表１の第４行の場合）に、本考案の角変位定規でΔ結線の工事対象所内変圧器の各相のあるべき電圧値を読み取る場合の説明図である。
【００３１】
まず、基準電圧は、健全所内変圧器のＹ結線の２次電圧の黒相（２００Ｖ）であるので、Ｙ結線と表記された第１基板１１を基準として、Δ結線と表記された第２基板１５を左方向に１／６π（３０度）回転させる。ＹΔ結線では２次３次側の位相が１／６π（３０度）進むからである。
【００３２】
そして、工事対象所内変圧器がΔ結線であり３次電圧（１００Ｖ）である場合には、第１基板１１の正三角形１２ａの頂点の黒相（黒）を基準点Ａ２として、第２基板１５の内接正三角形１３ｂの各頂点（黒相（ク）、赤相（ア）、白相（シ）までの距離を読み取る。この各距離が、工事対象所内変圧器がΔ結線であり３次電圧（１００Ｖ）である場合の各相のあるべき電圧値を示している。
【００３３】
次に、工事対象所内変圧器がΔ結線であり２次電圧（２００Ｖ）である場合には、第１基板１１の正三角形１２ａの頂点の黒相（黒）を基準点Ａ２として、第２基板１５の正三角形１２ｂの各頂点（黒相（黒）、赤相（赤）、白相（白）までの距離を読み取る。この各距離が、工事対象所内変圧器がΔ結線であり２次電圧（２００Ｖ）である場合の各相のあるべき電圧値を示している。
【００３４】
図４は、健全所内変圧器の３次電圧がΔ結線であり黒相（１００Ｖ）を基準電圧とした場合（表１の第１列の場合）に、本考案の角変位定規でＹ結線の工事対象所内変圧器の各相のあるべき電圧値を読み取る場合の説明図である。
【００３５】
まず、基準電圧は、健全所内変圧器のΔ結線の３次電圧の黒相（１００Ｖ）であるので、Δ結線と表記された第２基板１５を基準として、Ｙ結線と表記された第１基板１１を右方向に１／６π（３０度）回転させる。ΔＹ結線では２次３次側の位相が１／６π（３０度）遅れるからである。
【００３６】
そして、工事対象所内変圧器がＹ結線であり３次電圧（１００Ｖ）である場合には、第２基板１５の内接正三角形１３ｂの頂点の黒相（ク）を基準点Ａ３として、第１基板１１の内接正三角形１３ａの各頂点（黒相（ク）、赤相（ア）、白相（シ）までの距離を読み取る。この各距離が、工事対象所内変圧器がＹ結線であり３次電圧（１００Ｖ）である場合の各相のあるべき電圧値を示している。
【００３７】
次に、工事対象所内変圧器がＹ結線であり２次電圧（２００Ｖ）である場合には、第２基板１５の内接正三角形１３ｂの頂点の黒相（ク）を基準点Ａ３として、第１基板１１の正三角形１２ａの各頂点（黒相（黒）、赤相（赤）、白相（白）までの距離を読み取る。この各距離が、工事対象所内変圧器がＹ結線であり２次電圧（２００Ｖ）である場合の各相のあるべき電圧値を示している。
【００３８】
図５は、健全所内変圧器の２次電圧がΔ結線であり黒相（２００Ｖ）を基準電圧とした場合（表１の第４列の場合）に、本考案の角変位定規でＹ結線の工事対象所内変圧器の各相のあるべき電圧値を読み取る場合の説明図である。
【００３９】
まず、基準電圧は、健全所内変圧器のΔ結線の２次電圧の黒相（２００Ｖ）であるので、Δ結線と表記された第２基板１５を基準として、Ｙ結線と表記された第１基板１１を右方向に１／６π（３０度）回転させる。ΔＹ結線では２次３次側の位相が１／６π（３０度）遅れるからである。
【００４０】
そして、工事対象所内変圧器がＹ結線であり３次電圧（１００Ｖ）である場合には、第２基板１５の正三角形１２ｂの頂点の黒相（黒）を基準点Ａ４として、第１基板１１の内接正三角形１３ａの各頂点（黒相（ク）、赤相（ア）、白相（シ）までの距離を読み取る。この各距離が、工事対象所内変圧器がＹ結線であり３次電圧（１００Ｖ）である場合の各相のあるべき電圧値を示している。
【００４１】
次に、工事対象所内変圧器がＹ結線であり２次電圧（２００Ｖ）である場合には、第２基板１５の正三角形１２ｂの頂点の黒相（黒）を基準点Ａ４として、第１基板１１の正三角形１２ａの各頂点（黒相（黒）、赤相（赤）、白相（白）までの距離を読み取る。この各距離が、工事対象所内変圧器がＹ結線であり２次電圧（２００Ｖ）である場合の各相のあるべき電圧値を示している。
【００４２】
以上述べたように、本考案の実施形態に係る角変位定規によれば、第１基板１１または第２基板１５の正三角形１２は、１辺の長さが所内変圧器の２次電圧である２００Ｖを表し、第１基板１１または第２基板１５の内接正三角形１３は、１辺の長さが所内変圧器の３次電圧である１００Ｖを表わすので、測定対象である工事対象所内変圧器の電圧の位相が基準となる健全所内変圧器の電圧の位相と１／６π（３０度）ずれている場合であっても、第１基板１１または第２基板１５のいずれかの１相を基準電圧に選び、基準電圧として選ばなかった基板を１／６π（３０度）回転させると、基準電圧として選んだ基板の正三角形１２または内接正三角形１３の頂点から、基準電圧として選ばなかった基板の正三角形１２または内接正三角形１３の頂点までの距離が各相の基準電圧に対するあるべき電圧値を示す。従って、測定対象である工事対象所内変圧器の電圧の位相が基準となる健全所内変圧器の電圧の位相とずれている場合であっても、あるべき電圧値を迅速に把握することが可能となる。
【００４３】
以上、本考案の実施形態を説明したが、この実施形態は、例として提示したものであり、考案の範囲を限定することは意図していない。この新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００４４】
１１…第１基板、１２…正三角形、１３…内接正三角形、１４…貫通孔、１５…第２基板、１６…取付具
【図１】
0003209768.tif 000004
【図２】
0003209768.tif 000005
【図３】
0003209768.tif 000006
【図４】
0003209768.tif 000007
【図５】
0003209768.tif 000008